(57)【特許請求の範囲】
【請求項１】
吸収体と、前記吸収体の肌側に配された液透過性の表面シートと、前記吸収体の外側に配された液不透過性の裏面シートとを有する男性用失禁パッドであって、
男性用失禁パッドは、使用前、第１の方向に延びる折り目で、前記表面シートを内側にして折り返され、前記折り目で折り返した際に対向する部分どうしが接合されておらず、使用の際に前記折り目が展開され、
前記吸収体の外側面には、前記第１の方向の両端部に、前記折り目と交差して延びる弾性部材が取り付けられていることを特徴とする男性用失禁パッド。
【請求項２】
前記吸収体は、繊維集合体が被覆シートに包まれて構成され、
前記弾性部材が前記被覆シートに取り付けられている請求項１に記載の男性用失禁パッド。
【請求項３】
前記吸収体は白色以外の色を有している請求項１または２に記載の男性用失禁パッド。
【請求項４】
前記表面シートは、男性用失禁パッドの前記折り目における前記第１の方向の両端縁で前記裏面シート側に折り返されており、
前記弾性部材が、折り返された前記表面シートと前記吸収体の間に配されている請求項１〜３のいずれか一項に記載の男性用失禁パッド。
【請求項５】
前記表面シートは、前記吸収体の前記折り目における前記第１の方向の両端縁で前記裏面シート側に折り返されて、男性用失禁パッドの前記折り目における前記第１の方向の両端縁を形成している請求項４に記載の男性用失禁パッド。
【請求項６】
前記裏面シートは、前記折り目上において、前記第１の方向の端縁から前記弾性部材と重なる部分までの範囲で、前記吸収体と前記表面シートと前記弾性部材のいずれにも固定されていない請求項１〜５のいずれか一項に記載の男性用失禁パッド。
【請求項７】
前記吸収体の肌側面には、前記第１の方向の両端部に取り付けられた前記弾性部材の間に、前記折り目と交差して延びる溝が形成されている請求項１〜６のいずれか一項に記載の男性用失禁パッド。
【請求項８】
前記裏面シートの外側面には、前記折り目を挟んだ一方側と他方側にそれぞれ粘着層が設けられている請求項１〜７のいずれか一項に記載の男性用失禁パッド。
【請求項９】
前記弾性部材は、両端部が前記吸収体と重ならずに前記表面シートおよび／または前記裏面シートに取り付けられている請求項１〜８のいずれか一項に記載の男性用失禁パッド。
【発明の詳細な説明】
【技術分野】
【０００１】
本発明は、男性器に宛がって用いられる男性用失禁パッドに関するものである。
【背景技術】
【０００２】
従来、男性器に宛がって用いられる男性用の失禁パッドが知られている。例えば特許文献１には、一の方向に沿って形成された少なくとも２本の折り曲げ線によって襞状に折り畳まれ、一の方向の端部に折り曲げ状態の少なくとも一部を維持する折り曲げ維持部を有する男性用失禁パッドが開示されている。この男性用失禁パッドは、使用時には折り畳みを展開して肌側に凹状の空間が形成できるようになっている。さらに特許文献１には、当該男性用失禁パッドをさらに折り畳んで包装袋に包装した男性用失禁パッド包装体も開示されている。
【先行技術文献】
【特許文献】
【０００３】
【特許文献１】特開２０１０−１７２６５０号公報
【発明の概要】
【発明が解決しようとする課題】
【０００４】
男性用失禁パッドはまだ広く普及しておらず、その使用方法は一般の人に周知されているものではない。特に、特許文献１に開示されるように、使用前に折り畳まれている男性用失禁パッドでは、使用の際、男性用失禁パッドの折り畳みをどのように展開すればよいか使用者が迷う場面がある。なお特許文献１には、男性用失禁パッドの一の方向の端部に、当該一の方向に直交する方向に沿って伸縮材を配設してもよいことが記載されているが、当該伸縮材は吸収体と重なって設けられておらず、また折り曲げ線を跨ぐようには設けられていない。
【０００５】
本発明は前記事情に鑑みてなされたものであり、その目的は、折り畳んだ状態から使用状態に簡単に展開することができ、また男性器に好適に宛がえるように一方側に膨らんだ形状に容易に形成できる男性用失禁パッドを提供することにある。
【課題を解決するための手段】
【０００６】
前記課題を解決することができた本発明の男性用失禁パッドとは、吸収体と、吸収体の肌側に配された液透過性の表面シートと、吸収体の外側に配された液不透過性の裏面シートとを有する男性用失禁パッドであって、男性用失禁パッドは、第１の方向に延びる折り目で表面シートを内側にして折り返されており、吸収体の外側面に、第１の方向の両端部に、折り目と交差して延びる弾性部材が取り付けられているところに特徴を有する。
【０００７】
本発明の男性用失禁パッドは、吸収体の外側面に折り目と交差して延びる弾性部材が取り付けられているため、男性用失禁パッドを展開する際、弾性部材の収縮力によって男性用失禁パッドを展開しやすくなり、男性用失禁パッドを折り畳んだ状態から使用状態に簡単に展開することができる。また、男性用失禁パッドを展開した状態では、弾性部材の収縮力によって吸収体の周縁の長さが縮まり、男性用失禁パッドを外側に膨らんだ形状に形成しやすくなるため、男性用失禁パッドを男性器に好適に宛がうことができる。
【０００８】
吸収体は繊維集合体が被覆シートに包まれて構成され、弾性部材は、被覆シートに取り付けられていることが好ましい。弾性部材が吸収体の被覆シートに取り付けられていれば、弾性部材が吸収体に安定して固定化され、弾性部材の収縮力が吸収体に伝わりやすくなる。
【０００９】
吸収体は白色以外の色を有していることが好ましい。吸収体が白色以外の色を有していれば、男性用失禁パッドを表面シート側から見て吸収体の存在部分を視認しやすくなり、男性用失禁パッドを装着する際に、男性用失禁パッドを着用者の股間の適切な位置に合わせやすくなる。
【００１０】
表面シートは、男性用失禁パッドの折り目における第１の方向の両端縁で裏面シート側に折り返されており、弾性部材が、折り返された表面シートと吸収体の間に配されていることが好ましい。このように男性用失禁パッドが形成されていれば、男性用失禁パッドは、折り目上の両端縁が鋭利に形成されにくくなり、当該部分が着用者の肌に当たっても、着用者が違和感や痛みを覚えにくくなる。また、吸収体と表面シートが一体的に形成されるため、男性用失禁パッドを展開した際に、表面シート側に深いくぼみが形成されやすくなる。
【００１１】
表面シートは、吸収体の折り目における第１の方向の両端縁で裏面シート側に折り返されて、男性用失禁パッドの折り目における第１の方向の両端縁を形成していることが好ましい。このように男性用失禁パッドが形成されていれば、男性用失禁パッドの折り目上の両端縁が着用者の肌に当たっても、吸収体のクッション性によって、着用者が違和感や痛みを覚えにくくなり、男性用失禁パッドの着用感が向上する。
【００１２】
裏面シートは、折り目上において、第１の方向の端縁から弾性部材と重なる部分までの範囲で、吸収体と表面シートと弾性部材のいずれにも固定されていないことが好ましい。このように男性用失禁パッドが形成されていれば、弾性部材の収縮力が裏面シートに及びにくくなり、裏面シートに大きな皺が形成されにくくなる。そのため、裏面シートの皺が着用者の肌に接触して着用者に違和感を与えることが低減される。
【００１３】
吸収体の肌側面には、第１の方向の両端部に取り付けられた弾性部材の間に、折り目と交差して延びる溝が形成されていることが好ましい。このように吸収体の肌側面に溝が形成されていれば、第１の方向に延びる折り目と協働して、男性用失禁パッドを外側に膨らんだ形状に形成しやすくなる。
【００１４】
裏面シートの外側面には、折り目を挟んだ一方側と他方側にそれぞれ粘着層が設けられていることが好ましい。このように粘着層が設けられていれば、粘着層が折り目上に位置せず、粘着層によって男性用失禁パッドを安定してパンツの内側に固定することができるようになる。
【発明の効果】
【００１５】
本発明の男性用失禁パッドは、第１の方向に延びる折り目で表面シートを内側にして折り返され、吸収体の外側面に、第１の方向の両端部に、折り目と交差して延びる弾性部材が取り付けられているため、男性用失禁パッドを展開する際、弾性部材の収縮力によって男性用失禁パッドを展開しやすくなり、男性用失禁パッドを折り畳んだ状態から使用状態に簡単に展開することができる。また、男性用失禁パッドを展開した状態では、弾性部材の収縮力によって吸収体の周縁の長さが縮まり、男性用失禁パッドを外側に膨らんだ形状に形成しやすくなるため、男性用失禁パッドを男性器に好適に宛がうことができる。
【図面の簡単な説明】
【００１６】
【図１】展開した状態の男性用失禁パッドを肌側面から見た斜視図を表す。
【図２】展開した状態の男性用失禁パッドを肌側面から見た平面図を表す。
【図３】展開した状態の男性用失禁パッドを外側面から見た平面図を表す。
【図４】図２および図３に示した男性用失禁パッドの折り目に沿った断面図を表す。
【図５】折り返した状態の男性用失禁パッドの斜視図を表す。
【発明を実施するための形態】
【００１７】
本発明の男性用失禁パッドについて、図面を参照して説明する。なお本発明は、図面に示された実施態様に限定されるものではない。
【００１８】
図１〜図５には、本発明の男性用失禁パッドの一例を示す。図１は、展開した状態の男性用失禁パッドを肌側面から見た斜視図を表す。図２は、展開した状態の男性用失禁パッドを肌側面から見た平面図を表し、図３は、それを外側面から見た平面図を表す。図４は、図２および図３に示した男性用失禁パッドの折り目に沿った断面図を表す。図５は、折り返した状態の男性用失禁パッドの斜視図を表す。
【００１９】
まず、折り返しを展開した状態の男性用失禁パッドを示した図１〜図４を用いて、本発明の男性用失禁パッドの基本構成を説明する。図１〜図４は、男性用失禁パッドの使用状態を表している。
【００２０】
男性用失禁パッド１は、吸収体２と、吸収体２の肌側に配された液透過性の表面シート６と、吸収体２の外側に配された液不透過性の裏面シート７とを有する。すなわち男性用失禁パッド１は、表面シート６と、裏面シート７と、表面シート６と裏面シート７の間に配された吸収体２を有する。男性用失禁パッド１は男性器に宛がって使用され、男性用失禁パッドを装着した際に着用者の肌に面する側を肌側と称し、その反対側すなわち装着した際にパンツの内側等に面する側を外側と称する。
【００２１】
男性用失禁パッドの形状は特に限定されないが、着用者の股間に装着したときに邪魔になりにくくする点から、略円形、楕円形、長円形、卵形、角の丸まった多角形、これらの形状の一部を直線で切除した形等であることが好ましい。
【００２２】
男性用失禁パッドの大きさは、男性器を宛がうことができ、またパンツの内側に取り付けた際にあまり邪魔にならない大きさであることが好ましく、例えば、後述する第１の方向に対する長さとそれに直交する第２の方向に対する長さが、８ｃｍ以上であることが好ましく、１０ｃｍ以上がより好ましく、また１８ｃｍ以下が好ましく、１５ｃｍ以下がより好ましい。なお、前記説明した男性用失禁パッドの大きさは、折り返しを展開した状態で、男性用失禁パッドに設けられる弾性部材を完全に伸張させた状態での大きさを意味する。
【００２３】
表面シート６は、男性用失禁パッドを装着した際に主に着用者の肌に面するように位置するシートであり、液透過性である。表面シート６としては、例えば、セルロース、レーヨン、コットン等の親水性繊維から形成された不織布や；ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用いることができる。また、表面シート６として、織布、編布、有孔プラスチックフィルム等を用いてもよい。
【００２４】
裏面シート７は、男性用失禁パッドを装着した際に主に着用者とは反対側すなわち外側に位置するシートであり、液不透過性である。裏面シート７としては、ポリオレフィン（例えば、ポリプロピレン、ポリエチレン）、ポリエステル（例えば、ＰＥＴ）、ポリアミド（例えば、ナイロン）等の疎水性繊維から形成された不織布や、プラスチックフィルム等を用いることができる。また、不織布とプラスチックフィルムとの積層体を用いてもよい。
【００２５】
表面シート６や裏面シート７として不織布を用いる場合、不織布としては、スパンボンド不織布、ポイントボンド不織布、エアスルー不織布、メルトブロー不織布、エアレイド不織布、スパンレース不織布、ＳＭＳ不織布等を用いることが好ましい。
【００２６】
吸収体２は、尿等の排泄物を吸収できる吸収性材料を含むものであれば特に限定されない。吸収体２としては、例えば、吸収性材料を所定形状に成形した成形体を用いることができる。吸収性材料としては、例えば、パルプ繊維等の親水性繊維や、ポリアクリル酸系、ポリアスパラギン酸系、セルロース系、デンプン・アクリロニトリル系等の吸水性樹脂等が挙げられる。また、吸水性材料には、ポリエチレン、ポリプロピレン等のポリオレフィン繊維や、ＰＥＴ等のポリエステル繊維、ポリアミド繊維等の熱融着性繊維が含まれてもよい。これらの熱融着性繊維は、尿等との親和性を高めるために、界面活性剤等により親水化処理がされていてもよい。
【００２７】
吸収体２は、少なくとも繊維集合体３を有していることが好ましい(図４を参照)。吸収体２が繊維集合体３を有していれば、吸収体２にクッション性が付与され、男性用失禁パッドの着用感が向上する。好ましくは、吸収体２の繊維集合体３は親水性であり、より好ましくは、吸収体２は、親水性繊維集合体３に吸水性樹脂が混合または散布されて構成される。
【００２８】
吸収体２は、繊維集合体３が被覆シート４に包まれて構成されていることが好ましい。このように吸収体２が構成されていれば、繊維集合体３から繊維が脱落しにくくなり、また後述するように、吸収体２の外側面に弾性部材８を取り付けた際に、弾性部材８が吸収体２に安定して固定化されやすくなる。被覆シート４としては、尿を速やかに透過させる点で、ティッシュや薄葉紙等を用いることが好ましい。
【００２９】
男性用失禁パッド１は、使用前、第１の方向ｖに延びる折り目Ｆで、表面シート６を内側にして折り返されており、その結果、図５に示すように折り畳まれた状態となる。そして使用の際は、図１に示すように、男性用失禁パッド１は折り目Ｆが完全に展開された状態となる。男性用失禁パッド１は、折り目Ｆで折り返した際に対向する部分どうしが接合していないことが好ましい。
【００３０】
第１の方向ｖの向きは特に限定されないが、男性用失禁パッドを装着した際に着用者の前後方向または幅方向に概ね一致することが好ましい。第１の方向ｖがこのように規定されていれば、男性用失禁パッドを装着した際の着用感が向上する。なお男性用失禁パッドにおいて、男性用失禁パッドの面上にあり、第１の方向ｖと直交する方向を、第２の方向ｗと規定する。
【００３１】
男性用失禁パッド１は、吸収体２の外側面の第１の方向ｖの両端部Ｓに、折り目Ｆと交差して延びる弾性部材８が取り付けられている（図３〜図５を参照）。具体的には、吸収体２の外側面には、第１の方向ｖに対する一方側の端部Ｓ1と他方側の端部Ｓ2に、弾性部材８がそれぞれ取り付けられている。弾性部材８は、吸収体２の折り目Ｆを挟んだ一方側を第１領域とし他方側を第２領域としたときに、第１領域と第２領域に跨がって吸収体２に取り付けられている。なお、吸収体２の第１の方向ｖの両端部Ｓとは、吸収体２を第１の方向ｖに３等分した際の中央部Ｃの両側の部分を意味する。
【００３２】
男性用失禁パッド１は、このように吸収体２に弾性部材８が取り付けられているため、男性用失禁パッド１の折り返しを展開することが容易になるとともに、展開した男性用失禁パッド１を外側に向かって膨らんだ形状に形成しやすくなる。これについて具体的に説明すると、男性用失禁パッド１は、使用前、図５に示すように、第１の方向ｖに延びる折り目Ｆで表面シート６を内側にして（すなわち裏面シート７を外側にして）折り返されているが、吸収体２の外側面に折り目Ｆと交差して延びる弾性部材８が取り付けられているため、男性用失禁パッド１を展開する際、弾性部材８の収縮力によって男性用失禁パッド１を展開しやすくなり、男性用失禁パッド１を折り畳んだ状態から使用状態に簡単に変形することができる。また、弾性部材８が、吸収体２の外側面の第１の方向ｖの両端部Ｓに折り目Ｆと交差して延びるように取り付けられているため、弾性部材８の収縮力によって、吸収体２の周縁の長さが縮まり、男性用失禁パッド１を一方側に膨らんだ形状に形成しやすくなる。この際、男性用失禁パッド１は、使用前、表面シート６を内側にして折り返されているため、これを展開することにより、図１に示すように、男性用失禁パッド１を外側に向かって膨らんだ形状に形成しやすくなる。
【００３３】
弾性部材８は、男性用失禁パッド１を展開した状態で、伸張状態で吸収体２に取り付けられることが好ましい。また弾性部材８は、第１の方向ｖに対して略垂直に延びていることが好ましい。なお、吸収体２には、第１の方向ｖの中央部Ｃに弾性部材が設けられないことが好ましい。吸収体２において、第１の方向ｖの中央部Ｃに弾性部材が設けられていなければ、男性用失禁パッドを外側に大きく膨らんだ形状に形成しやすくなるとともに、男性器が当たる部分に弾性部材が存在しにくくなり、男性用失禁パッドの着用感が向上する。弾性部材８は、ポリウレタン糸、ポリウレタンフィルム、天然ゴム等の通常の吸収性物品に用いられる弾性伸縮材料を用いることができる。
【００３４】
弾性部材８は、吸収体２を横切って設けられることが好ましい。具体的には、弾性部材８は、両端部（弾性部材８の延びる方向に対する両端部）が吸収体２と重ならずに、表面シート６および／または裏面シート７に取り付けられていることが好ましい。このように弾性部材８が設けられていれば、弾性部材８の収縮力によって吸収体２の周縁がより縮まり、男性用失禁パッド１を外側に膨らんだ形状に形成しやすくなる。なお、この場合、弾性部材８の両端部は男性用失禁パッド１の外縁まで延在していないことが好ましく、これにより、男性用失禁パッド１には吸収体２の外方部分にあまりギャザーが形成されず、男性用失禁パッドの着用感を大きく損なわないようにすることができる。
【００３５】
弾性部材８は、吸収体２の第１の方向ｖの端縁２Ｅから２０ｍｍ以内の領域に設けられることが好ましく、１５ｍｍ以内の領域に設けられることがより好ましい。このように弾性部材８が設けられていれば、男性用失禁パッドを広い範囲で外側に膨らんだ形状に形成しやすくなる。
【００３６】
弾性部材８は、接着剤等の公知の接合手段により吸収体２の外側面に取り付けられていればよい。なお弾性部材８は、図４に示すように、吸収体２の被覆シート４に取り付けられていることが好ましい。弾性部材８が吸収体２の被覆シート４に取り付けられていれば、弾性部材８の収縮力が吸収体２に伝わりやすくなり、弾性部材８による効果が好適に発現しやすくなる。
【００３７】
折り目Ｆは、第２の方向ｗの中心線上に形成されていることが好ましい。このように折り目Ｆが形成されていれば、男性用失禁パッド１を折り目Ｆで折り返した際に、コンパクトに折り畳むことができる。また、男性用失禁パッド１を展開した際に、当該折り目Ｆを利用して、男性用失禁パッド１の中央部が大きく膨らんだカップ形状に形成しやすくなる。
【００３８】
男性用失禁パッド１は、使用前、第１の方向ｖに延びる折り目Ｆで折り返されて、２つ折りに折り畳まれていることが好ましい。すなわち男性用失禁パッド１には、折り目として、折り目Ｆのみが形成されていることが好ましい。男性用失禁パッドに折り目が１つだけ形成されていれば、当該折り目を利用して男性用失禁パッドを外側に膨らんだ形状に形成しやすくなる。
【００３９】
吸収体２の肌側面には、弾性部材８の間に、折り目Ｆと交差して延びる溝５が形成されていることが好ましい（図１、図２、図４を参照）。すなわち、吸収体２の折り目Ｆを挟んだ一方側を第１領域とし他方側を第２領域としたときに、吸収体２の肌側面の弾性部材８の間の部分に、溝５が第１領域と第２領域に跨がって形成されていることが好ましい。このように吸収体２の肌側面に溝５が形成されていれば、第１の方向ｖに延びる折り目Ｆと協働して、男性用失禁パッド１を外側に膨らんだ形状に形成しやすくなる。
【００４０】
吸収体２の肌側面に形成される溝５は、底を有する凹溝であることが好ましい。溝５は、当該部分での吸収体２の目付を小さくしたり、当該部分で吸収体２を押圧することにより形成することができ、好ましくは後者の方法により形成される。このように溝５が形成されれば、溝５の部分で尿の透過性が極端に高まることが防止され、尿の裏面シート側への漏れが起こりにくくなる。
【００４１】
溝の数は特に限定されないが、溝を多く設けても尿の吸収速度が低下するおそれがあることから、溝の数は４個以下が好ましく、３個以下がより好ましく、１個または２個がさらに好ましい。
【００４２】
溝の数が１個の場合は、溝は吸収体２の第１の方向ｖの中心線上（すなわち第２の方向ｗに延びる中心線上）に、折り目Ｆと交差して延びるように形成されることが好ましい。このように溝が形成されていれば、男性用失禁パッドを中央部が大きく膨らんだカップ形状に形成しやすくなる。
【００４３】
溝の数が２個の場合は、溝は、吸収体２の第１の方向ｖの一方側と他方側に、折り目Ｆと交差して延びるように形成されることが好ましい。このように溝が形成されていれば、男性用失禁パッドを装着した際に、男性器の尿道口が吸収体の溝以外の部分に当たりやすくなって、違和感を覚えにくくなるとともに、速やかな尿の吸収を実現できる。図面に示した男性用失禁パッドには、このように溝が形成されている。
【００４４】
図１や図２に示すように、溝５が、吸収体２の第１の方向ｖの一方側と他方側に設けられる場合、溝５は、第１の方向ｖの内方に向かう凸形状で設けられることが好ましく、より好ましくは、第１の方向ｖの内方に湾曲して設けられる。このように溝５が形成されていれば、男性用失禁パッドを外側に膨らんだカップ形状に形成しやすくなる。
【００４５】
溝は、吸収体のみに形成されていてもよく、表面シートと一体的に形成されていてもよい。なお、溝は後者のように形成されていることが好ましく、これにより、男性用失禁パッドを表面シート側から見たときに、着用者が溝の存在を認識しやすくなり、着用者が、溝を利用して男性用失禁パッドを好適にカップ形状に形成しやすくなる。
【００４６】
吸収体２は、白色以外の色を有していることが好ましい。簡便には、吸収体２の被覆シート４が白色以外の色を有していることが好ましい。吸収体が白色以外の色を有していれば、男性用失禁パッドを表面シート側から見て吸収体の存在部分を視認しやすくなり、男性用失禁パッドを装着する際に、男性用失禁パッドを着用者の股間の適切な位置に合わせやすくなる。
【００４７】
吸収体（特に被覆シート）の色は、白色以外であれば特に限定されないが、比較的暗い色であることが好ましい。吸収体が比較的暗い色を有していれば、表面シート側から見て吸収体の位置を認識しやすくなる。また、尿が吸収体に吸収されても吸収体の着色が目立ちにくくなり、男性用失禁パッドの使用に対する着用者の心理的負荷を低減することができる。吸収体（特に被覆シート）の色は、具体的には、Ｌ*ａ*ｂ*表色系による明度（Ｌ*）が２５以下であることが好ましく、２０以下がより好ましく、１５以下がさらに好ましい。明度（Ｌ*）＝０の場合は黒色となり、明度（Ｌ*）＝１００の場合は白色となる。なお、Ｌ*ａ*ｂ*表色系による色表示はＪＩＳ  Ｚ  ８７２９に準拠し、日本電色工業株式会社製のハンディ型分光色差計ＮＦ３３３により測定した値を用いる。
【００４８】
吸収体（特に被覆シート）の色は、彩度（Ｃ*）が３０以下であることが好ましく、２０以下がより好ましく、１５以下がさらに好ましい。彩度（Ｃ*）は、Ｌ*ａ*ｂ*表色系のａ*とｂ*の値から、次式により求めることができる：彩度（Ｃ*）＝［（ａ*）2＋（ｂ*）2］1/2。彩度（Ｃ*）が３０以下であれば、吸収体はくすんだ色あるいは無彩色に近づく。
【００４９】
吸収体（特に被覆シート）は活性炭を含有していてもよい。吸収体が活性炭を含有していれば、活性炭によって吸収体を黒色〜灰色に着色することができるとともに、活性炭による消臭効果も期待できる。
【００５０】
なお、表面シート６は白を基調としたものであることが好ましく、表面シート６を通じて吸収体２の色が視認可能であることが好ましい。表面シートは、例えば、明度（Ｌ*）が７５以上であることが好ましく、８０以上がより好ましく、８５以上がさらに好ましい。彩度（Ｃ*）は２５以下が好ましく、２０以下がより好ましく、１５以下がさらに好ましい。表面シートはある程度の光透過性を有することが好ましく、例えば、全光線透過率が３０％以上であることが好ましく、４０％以上がより好ましく、５０％以上がさらに好ましい。全光線透過率はＪＩＳ  Ｋ  ７３６１に準拠し、日本電色工業株式会社製のヘーズメーターＮＤＨ４０００により測定する。
【００５１】
表面シート６は、図４に示すように、男性用失禁パッド１の折り目Ｆにおける第１の方向ｖの両端縁で、裏面シート７側に折り返されていることが好ましい。男性用失禁パッド１は、使用前、第１の方向ｖに延びる折り目Ｆで折り返されているため、例えば、表面シート６と裏面シート７の両方が男性用失禁パッド１の折り目Ｆ上の端縁で切断されて形成されていると、折り目Ｆ上の第１の方向ｖの端縁が比較的鋭利に形成されやすくなる。この場合、表面シート６や裏面シート７の切断縁が着用者の肌に当たって、着用者が違和感や痛みを覚えるおそれがある。そのため、折り目Ｆ上の第１の方向ｖの両端縁では、表面シート６が裏面シート７側に折り返されていることが好ましい。表面シート６を、男性用失禁パッド１の折り目Ｆ上の第１の方向ｖの両端縁で裏面シート７側に折り返すことにより、男性用失禁パッド１は、折り目Ｆ上の両端縁が鋭利に形成されにくくなる。そのため、男性用失禁パッド１の折り目Ｆ上の両端縁が着用者の肌に当たっても、着用者が違和感や痛みを覚えにくくなり、着用感が向上する。
【００５２】
表面シート６が、男性用失禁パッド１の折り目Ｆにおける第１の方向ｖの両端縁で裏面シート７側に折り返される場合、表面シート６は吸収体２の外側面に折り返されることが好ましい。具体的には、折り返された表面シート６は、吸収体２と裏面シート７の間に配されることが好ましい。そして、弾性部材８は、折り返された表面シート６と吸収体２の間に配されていることが好ましい。この際、弾性部材８は、吸収体２と表面シート６に取り付けられていることが好ましい。このように男性用失禁パッドが形成されていれば、吸収体と表面シートが一体的に形成され、男性用失禁パッドを展開した際に、表面シート側に深いくぼみが形成されやすくなる。
【００５３】
表面シート６は、吸収体２の折り目Ｆにおける第１の方向ｖの両端縁で裏面シート７側に折り返されて、男性用失禁パッド１の折り目Ｆにおける第１の方向ｖの両端縁を形成していることが好ましい。この場合、男性用失禁パッド１の折り目Ｆにおける第１の方向ｖの両端縁では、吸収体２が表面シート６に覆われて存在することとなる。そのため、男性用失禁パッド１の折り目Ｆ上の両端縁が着用者の肌に当たっても、吸収体２のクッション性によって、着用者が違和感や痛みを覚えにくくなり、着用感が向上する。
【００５４】
裏面シート７は、折り目Ｆ上において、第１の方向ｖの端縁から弾性部材８と重なる部分までの範囲で、吸収体２と表面シート６と弾性部材８のいずれにも固定されていないことが好ましい。このように男性用失禁パッド１が形成されていれば、弾性部材８の収縮力が裏面シート７に及びにくくなり、裏面シート７に大きな皺が形成されにくくなる。そのため、裏面シート７の皺が着用者の肌に接触して着用者に違和感を与えることが低減される。また、後述するように裏面シート７に粘着層９が設けられる場合は、裏面シート７の皺によって粘着層９の接合力が低下することを抑えることができる。
【００５５】
裏面シート７の外側面には粘着層９が設けられていることが好ましく、これにより、男性用失禁パッド１を着用者のパンツの内側に固定することができる。なお、粘着層９は、図３や図５に示すように、折り目Ｆを挟んだ一方側と他方側にそれぞれ設けられていることが好ましい。この場合、粘着層９は折り目Ｆに重ならずに設けられ、粘着層９によって男性用失禁パッドを安定してパンツの内側に固定することができるようになる。
【００５６】
図１〜図４に示すように、吸収体２の肌側面に溝５が２個形成されている場合は、粘着層９は２個の溝５の間、すなわち第１の方向ｖに対して溝５よりも内方に設けられることが好ましい。このように粘着層９が設けられていれば、粘着層９によって男性用失禁パッド１をパンツの内側に取り付けて着用した際、男性用失禁パッドが外側に膨らんだカップ形状に維持されやすくなる。
【符号の説明】
【００５７】
１：  男性用失禁パッド
２：  吸収体
３：  繊維集合体
４：  被覆シート
５：  溝
６：  表面シート
７：  裏面シート
８：  弾性部材
９：  粘着層
Ｆ：  折り目
Ｃ：  中央部
Ｓ：  両端部
【図１】
0006440306.tif 000002
【図２】
0006440306.tif 000003
【図３】
0006440306.tif 000004
【図４】
0006440306.tif 000005
【図５】
0006440306.tif 000006